(57)【要約】【課題】  上半身の捻り運動を有効に行うことのできる健康増進用脚部保持具を提供する。【解決手段】  本発明の健康増進用脚部保持具は、ユーザの左太股及び右太股にそれぞれ巻き付けられる第１巻付部材１１Ａ及び第２巻付部材１１Ｂと、第１巻付部材１１Ａ及び第２巻付部材１１Ｂとが各太股に巻きつけられた状態を維持する第１締結部材１２Ａ，第２締結部材１２Ｂと、第１巻付部材１１Ａ及び第２巻付部材１１Ｂを接続する接続部材１３とを備える。接続部材１３は、第１巻付部材から右太股側に突出する第１テープ１４Ａと、該第１テープの先端に形成される第１歯１５Ａと、第２巻付部材から左太股側に突出する第２テープ１４Ｂと、該第２テープの先端に形成される第２歯１５Ｂと、第１歯と第２歯を噛み合わせ、また第１歯と第２歯を離脱させるためのスライダ１６とから構成される。【選択図】  図１
2014158639.tif 000002
【特許請求の範囲】
【請求項１】
ユーザの左太股及び右太股にそれぞれ巻き付けられる第１巻付部材及び第２巻付部材と、
前記第１巻付部材が左太股に巻き付けられた状態を維持する第１締結部材と、
前記第２巻付部材が右太股に巻き付けられた状態を維持する第２締結部材と、
左太股に巻き付けられた前記第１巻付部材と、右太股に巻き付けられた前記第２巻付部材とを接続する接続部材とを備え、
前記接続部材は、前記第１巻付部材の内股被覆部から右太股側に延び出る第１テープと、該第１テープの先端に形成される第１歯と、前記第２巻付部材の内股被覆部から左太股側に延び出る第２テープと、該第２テープの先端に形成される第２歯と、前記第１歯と前記第２歯とを噛み合わせ、また前記第１歯と前記第２歯とを離脱させるためのスライダとから構成される健康増進用脚部保持具。
【請求項２】
前記第１テープ及び前記第２テープは、可撓性材料から形成される請求項１に記載の健康増進用脚部保持具。
【請求項３】
前記第１テープ及び前記第２テープは、プラスチックから形成される請求項２に記載の健康増進用脚部保持具。
【請求項４】
第１巻付部材及び第２巻付部材は、それぞれ前記第１テープ及び前記第２テープと同一のプラスチックから形成される請求項３に記載の健康増進用脚部保持具。
【請求項５】
前記第１テープ及び前記第２テープの幅は、それぞれ１．５ｃｍ以上２ｃｍ以下である請求項１乃至４のいずれかに記載の健康増進用脚部保持具。
【請求項６】
ユーザが腰掛けた状態において、前記第１締結部材は、左太股の上側で、前記第１巻付部材を締結し、前記第２締結部材は、右太股の上側で、前記第２巻付部材を締結する請求項１乃至５のいずれかに記載の健康増進用脚部保持具。
【請求項７】
前記第１締結部材は、前記第１巻付部材における腰側の位置と膝側の位置で前記第１巻付部材を締結し、
前記第２締結部材は、前記第２巻付部材における腰側の位置と膝側の位置で前記第２巻付部材を締結する請求項６に記載の健康増進用脚部保持具。
【発明の詳細な説明】
【技術分野】
【０００１】
本発明は、身体に装着し、健康増進に資することのできる健康増進用脚部保持具に関するものである。
【背景技術】
【０００２】
従来より、健康増進の運動として、上半身に捻りを加える運動が知られており、その捻り運動を補助するための装置として、例えば、特許文献１には脚部保持具が提案されている。該脚部保持具は、膝当接部、太股当接部、脛当接部を備えた脚当て部材と、該脚当て部材に接続された緊締部材からなり、脚当て部材の膝当接部、太股当接部、脛当接部は一体形成されている。ユーザは左右の膝頭を揃えて座った状態で両脚の膝、太股、脛を覆うように該脚部保持具を被せ、緊締部材で脚に緊締することで、両足の膝、太股、脛を一体として固定する。このように下半身を固定することで、上半身の回転に伴われた捻りが加えられることがなく、上半身の捻り運動を有効に行うことができ、ストレッチやリハビリに効果を奏する。
【先行技術文献】
【特許文献】
【０００３】
【特許文献１】特許第３９１１６８６号公報
【発明の概要】
【発明が解決しようとする課題】
【０００４】
このような上半身の捻り運動を行う場合、上半身の回転する方向と反対側の膝頭を上半身の回転する方向の膝頭よりもやや後方にずらした状態で脚部保持具を装着して太股を固定し、この状態で上半身に回転による捻りを加えると、両膝がそろっている場合よりも大きな捻りが上半身に加えられることになる。
【０００５】
しかしながら、従来の脚部保持具は、左右の膝頭をずらした状態で脚部保持具を被せることが困難であった。このため、大きな捻りを生じさせることができなかった。
【０００６】
また、両脚の膝、太股、膝を脚部保持具で覆って緊締しているため、ユーザは両脚の固定の解除に手間取る場合がある。このような場合に地震などの非常事態が発生すると、ユーザは歩行ができず危険を回避できない恐れがある。
【０００７】
そこで、本発明は、上半身に大きな捻りを加えることができ、かつ、両脚の固定の解除を容易に行うことのできる健康増進用脚部保持具を提供する。
【課題を解決するための手段】
【０００８】
本発明に係る健康増進用脚部保持具はユーザの左太股及び右太股にそれぞれ巻き付けられる第１巻付部材及び第２巻付部材と、
前記第１巻付部材が左太股に巻き付けられた状態を維持する第１締結部材と、
前記第２巻付部材が右太股に巻き付けられた状態を維持する第２締結部材と、
左太股に巻き付けられた前記第１巻付部材と、右太股に巻き付けられた前記第２巻付部材とを接続する接続部材とを備え、
前記接続部材は、前記第１巻付部材の内股被覆部から右太股側に延び出る第１テープと、該第１テープの先端に形成される第１歯と、前記第２巻付部材の内股被覆部から左太股側に延び出る第２テープと、該第２テープの先端に形成される第２歯と、前記第１歯と前記第２歯とを噛み合わせ、また前記第１歯と前記第２歯とを離脱させるためのスライダとから構成される。
【０００９】
第１巻付部材と第２巻付部材を左右の太股に巻きつけ、第１巻付部材と第２巻付部材を接続部材により接続することで、左右の太股を一体として固定できる。これにより、ユーザは、左右の太股が固定された状態で、捻り運動を行なうことができる。
【００１０】
さらに、左右の膝頭をずらした状態で第１巻付部材と第２巻付部材を左右の太股に巻きつけることで、左右の膝頭をずらした状態で左右の太股を固定できる。これにより、ユーザは、身体を大きく捻ることができる。また、左右の膝頭を揃える必要がないため、腰が悪く膝頭を揃えて座ることのできないユーザでも、左右の太股を固定した状態で、捻り運動を行なうことができる。
【００１１】
また、ユーザは左右の膝頭をどの程度ずらすかを任意に決めて、太股を固定することができる。このため、腰痛のあるユーザの場合、ユーザは膝頭のずれの程度を様々に変更してストレッチを行ない、痛みの症状が強くなる膝頭の位置、痛みが楽になる膝頭の位置を把握することができる。これにより、ユーザは自分の症状に応じたストレッチを行いやすくなる。
【００１２】
また、左右の膝頭を揃えた状態で第１巻付部材と第２巻付部材を左右の太股に巻きつけることで、左右の膝頭を揃えた状態でも左右の太股を固定できる。すなわち、ユーザは左右の膝頭をずらした状態、揃えた状態のどちらであっても第１巻付部材と第２巻付部材を左右の太股に巻きつけることで、左右の太股を一体に固定できる。
【００１３】
また、各巻付部材の前端（膝側先端）が左右の各太股における膝頭近傍の最細部に位置するように各巻付部材を左太股に巻きつけて、各締結部材で締結することで、各巻付部材の膝側への移動が膝頭によって規制される。また、左右の各巻付部材の後部（腰側部分）を左太股の腰側の太い部分に隙間なく巻き付けて各締結部材で締結することで、第１巻付部材１１Ａの腰側への移動が左太股の太い部分によって規制される。このため第１締結部材１２Ａは前後方向に動かず固定される。
【００１４】
また、左右の太股それぞれに第１巻付部材と第２巻付部材を巻き付けるとともに、左右の太股の間に接続部材を設け、スライダをスライドさせるだけで第１巻付部材と第２巻付部材を接続または分離する構成としているため、左右の太股同士が接続されていないフリーな状態と左右の太股同士が接続された下半身が固定された状態とを簡単に切り替えることができる。
【００１５】
このため、ユーザは捻り運動を行った後に、第１巻付部材と第２巻付部材とを簡単に分離して、左右の太股をフリーにし、各太股に巻付部材を巻き付けた状態で歩行可能な状態にできる。簡単に歩行可能になるため、捻り運動時に地震などの非常事態が発生した場合には、すみやかに左右の太股の接続を切り離して避難することができる。また、ユーザは風呂や温泉、サウナなど捻り運動を行う場所まで歩いて移動し、腰掛けた後に第１巻付部材と第２巻付部材を簡単に接続して捻り運動を行うことができる。
【００１６】
さらに、本発明の健康増進用脚部保持具は左右それぞれの巻付部材と締結部材、および接続部材のみからなる構成であるため、構成が簡単で製造しやすく、製造コストが安価となる。また、持ち運びに便利である。
【００１７】
前記第１テープ及び前記第２テープは、可撓性材料から形成されることが好ましい。
【００１８】
前記構成によれば、第１テープ及び前記第２テープは可撓性材料から形成されるため、左右方向（前記前後方向に対して垂直方向）に対して、第１テープ及び第２テープの幅分だけ遊びがある。この結果、ユーザは腰掛けた状態で第１テープと第２テープを持って第１歯と第２歯をスライダにより噛み合わせることができるとともに、スライダを動かしやすくなる。また、太股同士は固定されてはいるが、膝頭および太股を、第１テープ及び第２テープの幅分ほど動かすことができるため、上半身の捻り運動を行う際にユーザにとって楽な膝の位置を選択することができる。
【００１９】
具体的には、前記第１テープ及び前記第２テープは、プラスチックから形成されることが好ましい。
【００２０】
また、第１巻付部材及び第２巻付部材は、それぞれ前記第１テープ及び前記第２テープと同一のプラスチックから形成されることが好ましい。
【００２１】
前記構成によれば、巻付部材とテープを一体として製造することができるため、製造が容易になる。また、プラスチックは耐水性があるため、風呂や温泉、サウナなどでも捻り運動を行うことができる。
【００２２】
前記第１テープ及び前記第２テープの幅は、それぞれ１．５ｃｍ〜２ｃｍとしている。このようにすることで、ユーザはスライダを容易に動かすことができ、左右の太股をしっかりと固定することができる。つまり、テープの幅が１．５ｃｍ未満であれば、第１巻付部材と第２巻付部材との間の幅が狭くなり、ユーザがスライダを動かしにくくなる。テープの幅が２ｃｍより大きいと、撓み分が大きくなって膝頭および太股を動かせる範囲が大きくなり、左右の太股をしっかりと固定できない。
【００２３】
前記第１テープ及び前記第２テープは、幅が腰側から膝側に向かって大きくなるテーパー状であることが好ましい。前記第１テープ及び前記第２テープの幅は、最も腰側の幅が略１．５ｃｍ、最も膝側の幅が略２ｃｍであってもよい。
【００２４】
前記第１締結部材は、左太股の上側で、前記第１締結部材を締結し、
前記第２締結部材は、右太股の上側で、前記第２締結部材を締結することが好ましい。
【００２５】
前記構成によれば、各締結部材が太股の上側になるため、ユーザが腰掛けた時に各締結部材が邪魔になるのを防ぐことができる。
【００２６】
前記第１締結部材は、前記第１締結部材における腰側の位置と膝側の位置で前記第１巻付部材を締結し、
前記第２締結部材は、前記第２締結部材における腰側の位置と膝側の位置で前記第２巻付部材を締結することが好ましい。
【００２７】
前記構成によれば、腰側と膝側の前後方向の２箇所の位置で各巻付部材を太股に締結することで、巻付部材が太股にしっかり固定され、捻り運動時に巻付部材が前後方向に動くことを防止することができる。
【発明の効果】
【００２８】
本発明に係る健康増進用脚部保持具によれば、左右の膝頭をずらした状態で左右の太股を固定できる。これにより、上半身を大きく捻ることができる。
【００２９】
また、スライダをスライドさせるだけで第１巻付部材と第２巻付部材が分離する構成のため、左右の太股同士が接続された状態から接続されていないフリーな状態へと簡単に移行できる。
【図面の簡単な説明】
【００３０】
【図１】本発明の健康増進用脚部保持具の第１実施形態を示す斜視図であり、第１巻付部材と第２巻付部材を分離している場合である。
【図２】本発明の健康増進用脚部保持具の第１実施形態を示す斜視図であり、第１巻付部材と第２巻付部材を接続している場合である。
【図３】左太股に巻き付けられる第１巻付部材の（ａ）平面図、（ｂ）側面図である。
【図４】図１の健康増進用脚部保持具の使用状態を示す斜視図である。
【図５】図１の健康増進用脚部保持具の使用状態を示す斜視図である。
【発明を実施するための形態】
【００３１】
本発明に係る健康増進用脚部保持具の第１実施形態について、図１〜図４を参照して説明する。
【００３２】
第１実施形態の健康増進用脚部保持具は、ユーザが腰掛けた状態において、ユーザの左右の太股を固定するために使用される。以下、ユーザが腰掛けた状態において、ユーザの太股に沿った方向を前後方向、ユーザの上半身が延びる方向を上方向とする。
【００３３】
図１、図２は本発明に係る脚部保持具１０の第１実施形態を示す斜視図であり、図１は脚部保持具１０の左右の巻付部材１１Ａ，１１Ｂが分離している場合、図２は左右の巻付部材１１Ａ，１１Ｂが接続している場合である。図３は左太股に巻き付けられる第１巻付部材１１Ａの（ａ）平面図、（ｂ）側面図である。
【００３４】
図１、２に示すように、脚部保持具１０は、ユーザの左太股に巻き付けられる第１巻付部材１１Ａと、右太股に巻き付けられる第２巻付部材１１Ｂと、第１巻付部材１１Ａが左太股に巻き付けられた状態を維持する第１締結部材１２Ａと、第２巻付部材１１Ｂが右太股に巻き付けられた状態を維持する第２締結部材１２Ｂと、左太股に巻き付けられた第１巻付部材１１Ａと右太股に巻き付けられた第２巻付部材１１Ｂとを接続する接続部材１３とを備えている。
【００３５】
図３に示すように、接続部材１３は、スライドファスナーであり、第１巻付部材１１Ａの内股被覆部から右太股側に延び出る第１テープ１４Ａと、第１テープ１４Ａの先端に形成される第１歯１５Ａと、第２巻付部材１１Ｂの内股被覆部から左太股側に延び出る第２テープ１４Ｂと、第２テープ１４Ｂの先端に形成される第２歯１５Ｂと、第１歯１５Ａと第２歯１５Ｂとを噛み合わせ、また第１歯１５Ａと第２歯１５Ｂとを離脱させるためのスライダ１６とから構成されている。
【００３６】
第１巻付部材１１Ａは、可撓性のあるシート状のプラスチックで構成されて、矩形状を呈する。
【００３７】
第１締結部材１２Ａは、第１巻付部材１１Ａの前後方向の膝側および腰側の位置の２箇所に取り付けられている。
【００３８】
第１締結部材１２Ａとして、公知のベルト構造を有するものを使用できる。例えば、図３に示すように、第１締結部材１２Ａは、バンド１２Ａ−ａと、ファスナ１２Ａ−ｂと、面ファスナ１２Ａ−ｃとを備えるものであってもよい。バンド１２Ａ−ａは、第１巻付部材１１Ａの一方の端部から延び出る。ファスナ１２Ａ−ｂは、バンド１２Ａ−ａの先端に取り付けられる。面ファスナ１２Ａ−ｃは、第１巻付部材１１Ａの他方の端部に設けられる。第１巻付部材１１Ａが左太股に巻き付けられた状態において、面ファスナ１２Ａ−ｃとファスナ１２Ａ−ｂとは重ね合わされて、面ファスナ１２Ａ−ｃにファスナ１２Ａ−ｂが止着される。
【００３９】
第１テープ１４Ａは、第１巻付部材１１Ａの前後方向の全幅に亘って延びる。第１テープ１４Ａの幅は１．５ｃｍ以上２ｃｍ以下である。また、第１テープ１４Ａは第１巻付部材１１Ａと同一のプラスチックから形成されている。なお、第１テープ１４Ａは第１巻付部材１１Ａの前後方向の前端部と後端部の２ヶ所に設けられていてもよい。
【００４０】
第２巻付部材１１Ｂ、第２締結部材１２Ｂ、第２テープ１４Ｂ、第２歯１５Ｂは、それぞれ上述の第１巻付部材１１Ａ、第１締結部材１２Ａ、第１テープ１４Ａ、第１歯１５Ａと同様の構造及び機能を有する。また、第２巻付部材１１Ｂは右太股に巻き付けられるものであるため、第２巻付部材１１Ｂに対する第２締結部材１２Ｂ、第２テープ１４Ｂの位置は、第１巻付部材１１Ａに対する第１締結部材１２Ａ、第１テープ１４Ａの位置と左右対称になる。なお、第２テープ１４Ｂも第２巻付部材１１Ｂの前後方向の前端部と後端部に設けられていてもよい。
【００４１】
スライダ１６は、第１歯１５Ａと第２歯１５Ｂの下端がスライダ１６に係合した状態で第１歯１５Ａと第２歯１５Ｂに沿って移動することで、第１歯１５Ａと第２歯１５Ｂとを噛み合わせるものである。また、この状態から逆方向に移動することで第１歯１５Ａと第２歯１５Ｂとを離脱させるものである。
【００４２】
図４に示すように、ユーザが腰掛けた状態において、第１締結部材１１Ａは左太股の上側で第１巻付部材１１Ａを締結し、第２締結部材１２Ｂは右太股の上側で第２巻付部材１１Ｂを締結する。第１歯１５Ａと第２歯１５Ｂとは、右太股と左太股との間で噛み合わさり、第１巻付部材１１Ａと第２巻付部材１１Ｂを接続する。また、ユーザは、第１巻付部材１１Ａと第２巻付部材１１Ｂの間隔を、第１テープ１４Ａの幅と第２テープ１４Ｂの幅との合計３〜４ｃｍほど拡げることができる。
【００４３】
次に、脚部保持具１０の使用方法について説明する。
【００４４】
ユーザは、第１締結部材１１Ａが左太股の上側に位置するよう、左太股に第１巻付部材１１Ａを巻き付けて、第１巻付部材１１Ａを第１締結部材１１Ａで締結する（ファスナ１２Ａ−ｂを面ファスナ１２Ａ−ｃに止着させる）。
【００４５】
このとき、第１巻付部材１１Ａの前端（膝側先端）が左太股における膝頭近傍の最細部に位置するように第１巻付部材１１Ａを左太股に巻きつけて、第１締結部材１１Ａで締結することで、第１巻付部材１１Ａの膝側への移動が膝頭によって規制される。
【００４６】
また、第１巻付部材１１Ａの後端（腰側先端）を左太股の腰側の太い部分に隙間なく巻き付けて第１締結部材１１Ａで締結することで、第１巻付部材１１Ａの腰側への移動が左太股の太い部分によって規制される。
【００４７】
このため第１締結部材１２Ａは前後方向に動かず固定される。
【００４８】
また同様に、ユーザは、第２締結部材１１Ｂが右太股の上側に位置するよう、右太股に第２巻付部材１１Ｂを巻き付けて、第２巻付部材１１Ｂを第２締結部材１１Ｂで締結する。
【００４９】
上記のように第１，２巻付部材１１Ａ，１１Ｂがそれぞれ左太股及び右太股に巻き付けられた状態では、第１歯１５Ａと第２歯１５Ｂとは、両太股の内側で対向する位置に配置される。
【００５０】
この状態で、ユーザは、捻り運動を行う場所まで移動し、椅子等に腰掛ける。腰掛けた状態で第１テープ１４Ａおよび第２テープ１４Ｂを撓ませ、スライダ１６を膝側から腰側にスライドさせて第１歯１５Ａと第２歯１５Ｂを噛み合わせ、第１巻付部材１１Ａおよび第２巻付部材１１Ｂを接続する。
【００５１】
第１巻付部材１１Ａと第２巻付部材１１Ｂの前端を太股における膝頭近傍の最細部に位置するように巻き付けているので、膝頭を揃えて座ることのできるユーザであれば、第１巻付部材１１Ａと第２巻付部材１１Ｂを接続することで左右の膝頭が前後にずれることなく自然に揃う。
【００５２】
このように脚部保持具１０により太股すなわち下半身を固定して、図４に示すように上半身に捻りを加えて捻り運動を行う。
【００５３】
第１巻付部材１１Ａと第２巻付部材１１Ｂを左右の太股に巻きつけ、第１巻付部材と第２巻付部材を接続部材により接続することで、左右の太股を一体として固定できる。これにより、ユーザは、左右の太股が固定された状態で、捻り運動を行なうことができる。
【００５４】
すなわち、上半身の回転による捻り運動をした際に、その捻り運動が下半身にも伝わり、無意識のうちに上半身の捻りを下半身においても吸収しようとする身体の機能が、脚部保持具１０により太股すなわち下半身を固定することで阻害される。これにより、上半身の捻りに伴う下半身の捻りにより吸収されていた捻り運動量を上半身にのみ加えることができるので、捻り運動の効果が増加し、腰痛等を自然に回復させたり、ぎっくり腰を予防できる。また、風呂や温泉、サウナなどの温浴で脚部保持具１０を用いることで、捻り運動による治療効果をいっそう得ることができる。
【００５５】
また、左右の太股それぞれに第１巻付部材１１Ａと第２巻付部材１１Ｂを巻き付け、接続部材１３で第１巻付部材１１Ａと第２巻付部材１１Ｂを接続する構成としており、接続部材１３のスライダ１６をスライドさせるだけで第１巻付部材１１Ａと第２巻付部材１１Ｂを接続、分離できるため、左右の太股同士が接続されていないフリーな状態と左右の太股同士が固定された状態とを簡単に切り替えることができる。
【００５６】
さらに、第１巻付部材１１Ａと第２巻付部材１１Ｂの間隔は３〜４ｃｍとなるため、左右の膝頭が当たることがない。
【００５７】
図５は脚部保持具１０の他の使用形態を示す。
【００５８】
図５の使用形態では、左右の膝頭を揃えず上半身の回転する方向と反対側の膝頭を上半身の回転する方向の膝頭よりもやや後方にずらした状態で脚部保持具１０を装着して太股を固定する。
【００５９】
このように、第１巻付部材と第２巻付部材を別々に左右の太股に巻きつける構成であるため、ユーザは左右の膝頭をずらした状態で左右の太股を固定できる。この状態で上半身に回転による捻りを加えると、両膝がそろっている場合よりも大きな捻りが上半身に加えられることになり、捻り運動の効果が増大する。
【００６０】
また、膝や腰に疾患を抱え、左右の膝頭を揃えて座ることができないユーザであっても、膝頭が前後方向にずれた状態のまま、左右の太股を固定することができる。
【００６１】
左右の膝頭のどちらが前方にずれてもよい。
【００６２】
なお、本発明の実施形態は上記形態に限定されるものではなく、その趣旨を逸脱しない限りにおいて、種々の変更が可能である。例えば、締結部材１２は面ファスナーに限られず、ベルトやボタンでもよく、紐等で太股を縛ってもよい。また、巻付部材１１は布製であってもよい。
【００６３】
本発明のストレッチ装置によれば、ユーザは左右の膝頭をどの程度ずらすかを任意に決めて、太股を固定することができる。このため、ユーザは膝頭のずれの程度を様々に変更してストレッチを行うことができる。これにより、腰痛のユーザが本発明のストレッチ装置を用いた場合、ユーザは痛みの症状が強くなる膝頭の位置、痛みが楽になる膝頭の位置を把握することができる。
【００６４】
腰痛のあるユーザの場合、膝頭を痛みが楽になる位置にずらして本発明のストレッチ装置を装着してストレッチを行う。これにより、ユーザの症状が緩和され、ユーザは睡眠が取りやすくなるなどの効果を得る。
【００６５】
一方、ユーザは、膝頭のずれの位置をあえて痛みが強い位置とすることで、痛みを感じながら腰のストレッチを行うこともできる。これにより、股関節や股関節に繋がる脊椎骨にストレッチ効果を与えることができる。
【００６６】
すなわち、痛みの発生原因や症状はユーザによって異なるが、本発明のストレッチ装置により、ユーザは症状の痛みの強い膝頭のずれの位置、痛みの弱い膝頭のずれの位置を知ることができ、ユーザは自分の症状に応じたストレッチを行いやすい。これにより、本発明者自身も経験しているが、従来達成できなかった想像以上のリハビリ効果を発揮させることができる。
【符号の説明】
【００６７】
１０  脚部保持具
１１Ａ  第１巻付部材
１１Ｂ  第２巻付部材
１２Ａ  第１締結部材
１２Ｂ  第２締結部材
１３  接続部材  
１４Ａ  第１テープ
１５Ａ  第１歯
１４Ｂ  第２テープ
１５Ｂ  第２歯
１６  スライダ
【図１】
2014158639.tif 000003
【図２】
2014158639.tif 000004
【図３】
2014158639.tif 000005
【図４】
2014158639.tif 000006
【図５】
2014158639.tif 000007